(57)【要約】  本発明は多様な大きさのレンズに対応可能であり、別途のレンズキャップの保管も可能なレンズキャップに関するもので、内部に空間を有し、互いに対向するように配置された可動溝を有し、カメラレンズの端部に装着されるようにディスク形状を有するケーシングと、前記ケーシングの内部に設置され、前記可動溝を通じて露出される可動部本体と、前記可動部本体と連結されて前記可動部本体に弾性力を加えるスプリング部とを有する可動部と、を含み、前記ケーシングの第1の面には２つ以上の固定突起が同心円で突出して形成され、前記可動部本体には前記固定突起に対応する移動突起が配置されることを特徴とする。
2016525724.tif 000002
【特許請求の範囲】
【請求項１】
内部に空間を有し、互いに対向するように配置される可動溝を有し、カメラレンズの端部に装着されるようにディスク形状を有するケーシングと、
前記ケーシングの内部に設置され、前記可動溝を通じて露出される可動部本体と、前記可動部本体と連結されて前記可動部本体に弾性力を加えるスプリング部とを有する可動部と
を含み、
前記ケーシングの第１の面には２つ以上の固定突起が同心円状に突出して形成され、
前記可動部本体は前記固定突起に対応する移動突起が配置されること
を特徴とするレンズキャップ。
【請求項２】
前記ケーシングの第２の面には１つ以上の固定突起が突出して形成され、前記可動部本体には前記ケーシングの第２の面に形成された固定突起に対応する移動突起が配置されること
を特徴とする請求項１に記載のレンズキャップ。
【請求項３】
前記ケーシングの第１の面に形成された２つ以上の固定突起は互いに高さが違うこと
を特徴とする請求項１に記載のレンズキャップ。
【請求項４】
前記ケーシングの第１の面に位置する前記２つ以上の移動突起は互いに高さが違うこと
を特徴とする請求項１に記載のレンズキャップ。
【請求項５】
前記スプリング部は前記可動部本体と連結されて閉曲線を成すことを特徴とする請求項１に記載のレンズキャップ。
【発明の詳細な説明】
【技術分野】
【０００１】
本発明はレンズキャップに関し、より詳しくは、多様なサイズのレンズに対応可能であり、他のレンズキャップの保管も可能なレンズキャップに関するものである。
【背景技術】
【０００２】
一般に、カメラレンズの端部に用いられるレンズキャップはカメラレンズの前方に設けたレンズを保護するために着脱可能に設置される。
【０００３】
このようなキャップはカメラレンズの前方に形成したレンズの係止部に着脱可能にし、カメラを利用する場合、レンズキャップをカメラレンズから抜去しなければならない。
【０００４】
従って、写真の撮影のためにレンズキャップを抜去すれば、レンズキャップはカメラに対し全く別の部品であるため、一般的にカメラの使用者はレンズキャップをポケットやカバンの中に入れて保管する。その結果、レンズキャップを紛失することが非常に多くある。
【先行技術文献】
【特許文献】
【０００５】
【特許文献１】特開２０１１−２５２９８８
【発明の概要】
【発明が解決しようとする課題】
【０００６】
上述の問題点を解決するために案出された本発明の目的は、多様なサイズのレンズに対応可能なように固定突起及び可変突起を多様な径で形成して、カメラレンズのサイズに関係なく装着することができるレンズキャップを提供することにある。
【課題を解決するための手段】
【０００７】
前記の目的を達するために、本発明は、内部に空間を有し、互いに対向するように配置される可動溝を有し、カメラレンズの端部に装着されるようにディスク形状を有するケーシングと、前記ケーシングの内部に設置され、前記可動溝を通じて可動部本体が露出され、前記可動部本体と連結されて前記可動部本体に弾性力を加えるスプリング部とを有する可動部を含み、前記ケーシングの第1の面には２つ以上の固定突起が同心円で突出して形成され、前記可動部本体は前記固定突起に対応する移動突起が配置されることを特徴とするレンズキャップを提供する。
【０００８】
前記ケーシングの第2の面には１つ以上の固定突起が突出して形成され、  前記可動部本体には前記ケーシングの第2の面に形成された固定突起に対応する移動突起が配置されることを特徴とする。
【０００９】
また、前記ケーシングの第1の面に形成された２つ以上の固定突起は互いに高さが違うことを特徴とする。
【００１０】
また、前記ケーシングの第1の面に位置する前記２つ以上の移動突起は互いに高さが違うことを特徴とする。
【００１１】
また、前記スプリング部は前記可動部本体と連結されて閉曲線を成すことを特徴とする。
【発明の効果】
【００１２】
本発明を通じて、一つのレンズキャップで多様なカメラレンズに対応可能であるので、複数のカメラレンズを使用する使用者は所持しているカメラレンズに適合するレンズキャップを苦労して手に入れる必要はなく、前記レンズキャップのみ備えればよい。
【００１３】
また、複数のカメラレンズを同時に使用する場合、使用しないカメラレンズを保護するためのレンズキャップを装着する時、該当カメラレンズのみに装着されるレンズキャップを捜す煩雑さなしに本発明によるレンズキャップを用いれば良い。
【００１４】
特に、カメラレンズを取り替える場合にも本発明のレンズキャップはそのまま用いることができるので、費用の面でも非常に有利である。
【図面の簡単な説明】
【００１５】
【図１】本発明の実施例によるレンズキャップを一方向から見た斜視図である。
【図２】図１と同じ方向から見たレンズキャップの分解斜視図である。
【図３】図１のレンズキャップを他の方向から見た斜視図である。
【図４】図３と同じ方向から見たレンズキャップの分解斜視図である。
【図５】図１のレンズキャップの適用例１の概略的な断面図である。
【図６】図１のレンズキャップの適用例２の概略的な断面図である。
【図７】図１のレンズキャップの適用例３の概略的な断面図である。
【図８】図１のレンズキャップの適用例４の概略的な断面図である。
【発明を実施するための形態】
【００１６】
以下、本発明を図面と実施例を用いて説明する。下記の各図面の構成要素に参照符号を付ける際に、同じ構成要素に対しては他の図面上に表示されても同じ符号を付けるようにし、本発明の要旨を不必要に曖昧にすると判断される公知の機能及び構成に対する詳細な説明は省略する。
【００１７】
前記レンズキャップ１００は基本的に内部に空間を有し、互いに対向するように配置される可動溝１０６、１１８を有し、カメラレンズの端部に装着されるようにディスク形状を有するケーシングと、前記ケーシングの内部に設置され、前記可動溝１０６、１１８を通じて可動部本体１３４が露出され、前記可動部本体１３４と連結されて前記可動部本体１３４に弾性力を加えるスプリング部１３０を有する可動部１２８と、を含む。
【００１８】
前記ケーシングは、図２及び図４に示すように、一対のケーシング半体１０２、１１４が互いに結合して構成される。第１ケーシング半体１０２に形成された結合突起１１２が第２ケーシング半体１１４の辺縁に形成された結合フレーム１２２と嵌合される。また、公知の他の結合方法を用いることも可能である。従って、前記ケーシングは内部に空間が形成され、前記空間に可動部１２８が収容される。
【００１９】
前記ケーシング半体１０２、１１４にはそれぞれ可動溝１０６、１１８が形成されて、前記可動部１２８の可動部本体１３４が外部に露出される。前記可動溝１０６、１１８は、前記可動部本体１３４が移動するときのガイドとしての機能と、可動溝前記可動部本体１３４が前記ケーシングの内側を移動して移動突起１３６またはノブ突起１４４と当接する時のストッパとしての機能も果たすことができる。
【００２０】
第１ケーシング半体１１４には可動部装着突起１２４が形成される。前記可動部装着突起１２４は前記可動部１２８、特にスプリング部１３０に密着して可動部１２８の離脱を防止し、安定的に前記可動部本体１３４の移動を保障する。
【００２１】
また、第１ケーシング半体１１４にはスプリング制限突起１２６が形成される。スプリング制限突起１２６は上記スプリング部１３０の周りに形成されて、スプリング部１３０が上下に伸びることを抑制して、図８に示すように、上記可動部本体１３４が上記ケーシング１０２に対して外部に離脱する限界を提供する。
【００２２】
第１ケーシング半体１０２には２つ以上の固定突起１０８、１１０が同心円で形成される。本発明の実施例では２つの固定突起が形成されている。前記固定突起１０８、１１０はカメラレンズに装着し、側面で見た時、カメラレンズとケーシングとの間を遮る役割を果たす。前記固定突起１０８、１１０は内部から外側に行くほど漸次に高さが低くなるように形成される。これは小さなカメラレンズに内側の固定突起１０８を装着する時外側の固定突起１１０が邪魔にならないようにするためである。
【００２３】
第２ケーシング半体１１４にも１つ以上の固定突起１２０を形成することにより異なる大きさのカメラレンズに対応することができるようにして、本発明のレンズキャップ１００の活用度を高めることができる。特に、前記第２ケーシング半体１１４に形成された固定突起１２０は第１ケーシング半体１０２に形成された固定突起１０４、１１０に比べて直径が大きく形成され、さらに大きいサイズのカメラレンズに対応することができる。
【００２４】
前記可動部１２８は前記ケーシングから露出される可動部本体１３４と、前記可動部本体１３４と一体に連結されて、前記可動部本体１３４に弾性力を付与するスプリング部１３０とを含む。
【００２５】
前記可動部本体１３４の幅は前記可動溝１０６、１１８の幅と一致して、前記可動溝１０６、１１８が形成された前記ケーシングの半径方向に移動可能である。
【００２６】
前記可動部本体１３４には前記固定突起１０４、１１０、１２０に対応する移動突起１３６、１３８、１４６が形成される。このうち、２つの移動突起１３６、１３８は前記第１ケーシング半体１０２側に突出して形成され、１つの移動突起１４６は前記第２ケーシング半体１１４側に突出して形成される。
【００２７】
第１ケーシング半体１０２に形成された移動突起１３６、１３８は前記固定突起１０４、１１０の高さと同じ高さを有する。従って、前記固定突起１０４、１１０も半径外側方向に行くほど漸次に高さが低くなる。同様に、第２ケーシング半体１０２に形成された移動突起１４６は固定突起１２０と同じ高さで形成される。
【００２８】
前記可動部本体１３４の前記第1ケーシング半体１０２側には、ノブ溝１４０が前記移動突起１３６、１３８の外側（前記ケーシングの半径方向外側）に形成される。前記ノブ溝１４０は使用者が指で把持する部分であり、前記移動突起１３６、１３８の間の間隔が大きくないので、前記移動突起１３６、１３８より外側に配置して指が接触することができる十分余裕のある空間を提供することができる。
【００２９】
また、前記可動部本体１３４の第２ケーシング半体１１４側にはノブ溝１４８が前記移動突起１４６の内側（前記ケーシングの半径方向内側）に形成される。前記ノブ溝１４８には、指を支持するためのノブ突起１４４が前記移動突起１４６に対して前記ケーシングの半径方向の内側に形成される。前記ノブ突起１４４は前記可動溝１０６、１１８に当接して前記可動部本体１３４の移動距離を制限する。
【００３０】
また、前記可動部本体１３４で最も外側に位置する移動突起１４６の前記ケーシングの半径方向の外側に余裕部１４２を形成することにより前記移動突起１４６にカメラレンズが接触する時の支持面として活用することができる。
【００３１】
前記スプリング部１３０は閉曲線を成し、前記可動部本体１３４と一体に形成される。本発明の実施例では略ダンベル形状を有し、このダンベル形状で括れている腰部で互いに対向するように前記可動部本体１３４が一体に形成される。前記スプリング部１３０の形状及び材質は前記可動部本体１３４に弾性力を前記ケーシングの半径方向に提供する限り制限はない。前記スプリング部１３０は上述した可動部装着突起１２４、１２６によって支持される。
【００３２】
本発明の実施例によるレンズキャップ１００は基本的に上述のように構成される。以下、前記レンズキャップ１００が装着される様子を図５〜図８を用いて説明する。
【００３３】
図５は最小半径を有する固定突起１０８及び移動突起１３６を利用してカメラ１のカメラレンズ１０に前記レンズキャップ１００を装着する様子を示す。
【００３４】
前記カメラレンズ１０はレンズ１４と、前記レンズ１４が装着されるレンズケーシング１２と、前記レンズケーシング１２の前端に形成されるキャップ装着部１８と、前記レンズ１４を保護するように前記レンズケーシング１２の前端に位置する保護窓１６とを含む。
【００３５】
前記レンズケーシング１２の前端部のキャップ装着部１８には本発明のレンズキャップ１００が装着される。前記レンズキャップ１００は、使用者が前記ノブ溝１４８を手に持って前記可動部１２８に前記レンズキャップ１００のケーシングの中心方向に力を加えることにより、前記キャップ装着部１８に挿入する準備が完了する。
【００３６】
そして、前記キャップ装着部１８に前記レンズキャップ１００の固定突起１０８を当接した後、前記レンズキャップ１００のノブ溝１４８から力を除去することにより、前記スプリング部１３０によって弾性力を加え、かつ、前記キャップ装着部１８の内壁面に前記移動突起１３６の外周面を押し付けながら前記レンズキャップ１００を装着する。
【００３７】
図６は前記固定突起１０８より半径の大きい固定突起１１０及び移動突起１３８を利用してカメラ１のカメラレンズ１０に前記レンズキャップ１００を装着する様子を示す。前記カメラレンズ２０は前記カメラレンズ１０より大きい内径を有するが、基本的な構成は同じである。
【００３８】
前記レンズケーシング２２の前端部のキャップ装着部２８には本発明のレンズキャップ１００が装着される。前記レンズキャップ１００は使用者が前記ノブ溝１４８を手に持って前記可動部１２８に前記レンズキャップ１００のケーシングの中心方向に力を加えることにより、前記キャップ装着部２８に挿入する準備が完了する。
【００３９】
そして、前記キャップ装着部１８に前記レンズキャップ１００の固定突起１１０を当接した後、前記レンズキャップ１００のノブ溝１４８から力を除去することにより前記スプリング部１３０によって弾性力が加えられ、かつ、前記キャップ装着部２８の内壁面に前記移動突起１３８の外周面を押し付けながら前記レンズキャップ１００を装着する。
【００４０】
図７は最大の半径を有する固定突起１２０及び移動突起１４６を利用してカメラ１のカメラレンズ１０に前記レンズキャップ１００を装着する様子を示す。従って、図５及び図６の装着時と違って前記ケーシングを裏返しにしてカメラレンズ３０に装着する。前記カメラレンズ３０は前記カメラレンズ２０より大きい内径を有するが、基本的な構成は同じである。
【００４１】
前記レンズケーシング３２の前端部のキャップ装着部３８には本発明のレンズキャップ１００が装着される。前記レンズキャップ１００は使用者が前記ノブ溝１４０を手に持って前記可動部１２８に前記レンズキャップ１００のケーシングの中心方向に力を加えることにより、前記キャップ装着部３８に挿入する準備が完了する。
【００４２】
そして、前記キャップ装着部３８に前記レンズキャップ１００の固定突起１２０を当接した後、前記レンズキャップ１００のノブ溝１４０から力を除去することにより前記スプリング部１３０によって弾性力が加えられ、かつ、前記キャップ装着部３８の内壁面に前記移動突起１４６の外周面を押し付けながら前記レンズキャップ１００を装着する。この時、前記移動突起１４６の外側に形成された余裕部１４２に前記キャップ装着部３８が当接して支持される。
【００４３】
図８は他のレンズキャップ４を本発明の実施例によるレンズキャップ１００に装着して、前記レンズキャップ１００をレンズホルダーとして用いる様子を示す。
【００４４】
前記スプリング部１３０は、弾性力を、前記可動部本体１３４に対して、前記ケーシングの半径内側方向と外側方向の両方に加えることができる。従って、レンズキャップ４を前記移動突起１４６に挿入して支持することが可能である。挿入方法は、前記レンズキャップ４の一方の角を一対の可動部本体１３４のうちの一方の移動突起１４６に当接した状態で力を入れて前記一方の移動突起１４６に半径外側方向へ力を加えながら他方の角を他方の移動突起１４６に挿入する手順で行う。抜去する時には上記方法と反対の順に行えばよい。
【００４５】
上述のように、本発明の好ましい実施例を参照して説明したが、本発明が属する技術分野において通常の知識を有する当業者であれば、特許請求範囲に記載した本発明の思想及び範囲から逸脱しない範囲内で本発明をさまざまに修正及び変更することができることを理解できるであろう。
【符号の説明】
【００４６】
１、２、３          カメラ
４、１００          レンズキャップ    
１０、２０、３０    レンズアセンブリー
１２、２２、３２    レンズケーシング    
１４、２４、３４    レンズ
１６、２６、３６    保護窓    
１８、２８、３８    キャップ装着部
４０                キャップ本体    
４２                固定突起
１０２、１１４      ケーシング半体    
１０４、１１６      装着プレート
１０６、１１８      可動溝    
１０８、１１０、１２０    固定突起
１１２              結合突起    
１２２              結合フレーム
１２４              可動部装着突起    
１２６              スプリング制限突起
１２８              可動部    
１３０              スプリング部
１３４              可動部本体    
１３６、１３８、１４６    移動突起
１４０、１４８      ノブ溝    
１４２              余裕部
１４４              ノブ突起
【図１】
2016525724.tif 000003
【図２】
2016525724.tif 000004
【図３】
2016525724.tif 000005
【図４】
2016525724.tif 000006
【図５】
2016525724.tif 000007
【図６】
2016525724.tif 000008
【図７】
2016525724.tif 000009
【図８】
2016525724.tif 000010
【国際調査報告】
2016525724.tif 000011
2016525724.tif 000012
2016525724.tif 000013
2016525724.tif 000014